【事件の表示】
　特許第３００７０１０号「液晶表示装置用の面状光源装置」の請求項１ないし３に係る特許に対する特許異議の申立てについて、次のとおり決定する。
【結　論】
　訂正を認める。
　特許第３００７０１０号の請求項１に係る特許を取り消す。
　同請求項２ないし３に係る特許を維持する。
【理　由】
１．手続の経緯
　特許第３００７０１０号の発明は、平成６年１２月２日の出願であって、平成１１年１１月２６日にその特許の設定の登録がなされ、その後、株式会社ディスク及び長谷川孝子により特許異議の申立がなされ、取消理由通知がなされ、その指定期間内の平成１２年１２月１９日付けで訂正請求がなされたものである。
　
２．訂正の適否についての判断
（１）訂正の内容
　訂正事項ａ；特許明細書の特許請求の範囲を次のとおり訂正する。
「【請求項１】　液晶表示素子の背面に配置して使用され、
　導光板と、導光板の側傍に設けた直線状光源と、導光板の前面に設けた少なくとも２枚の第１と第２の調光シートを具備してなる、液晶表示装置用の面状光源装置であって、
　第１の調光シートがその少なくとも一方の面に凹凸条を有し、該凹凸条を横切る断面形状が頂角７０度以上、１２０ 度以下の２等辺３角形状をなし、
　第２の調光シートもその少なくとも一方の面に凹凸条を有し、該凹凸条を横切る断面形状が連続した曲線による波型形状をなし、
　導光板上に、第１の調光シートと第２の調光シートを順次配置してなる液晶表示装置用の面状光源装置。
【請求項２】　前記調光シートのうち少なくとも１枚が、凹凸条を有する面と対向する面に艶消し処理されてなる請求項１記載の液晶表示装置用の面状光源装置。
【請求項３】　前記調光シートのうち少なくとも１枚が、その内部に光線を拡散する粒子を含有し、またはその凹凸条を有する面と対向する面に光線を拡散する粒子を含有する層を有してなる請求項１記載の液晶表示装置用の面状光源装置。」
　訂正事項ｂ；特許明細書の【００１０】の「波型形状をなしてなる」を「波型形状をなし、導光板上に、第１の調光シートと第２の調光シートを順次配置してなる」と訂正する。
　訂正事項ｃ；特許明細書の【００２４】及び【００２５】を削除する。
　訂正事項ｄ；上記訂正事項ｃに伴いそれとの整合を図るため特許明細書の【００２６】、【００２７】、【００３１】及び【表１】を訂正請求書第３頁２７行〜第４頁中段に記載のとおり訂正する。
　
（２）訂正の目的の適否、新規事項の有無及び拡張・変更の存否
　　上記訂正事項ａは、特許請求の範囲に記載された第１と第２の調光シートの配置を、特許明細書の【００１３】の記載に基づいて限定するものであるから、特許請求の範囲の減縮に該当し、訂正事項ｂないしｄは、上記訂正事項ａとの整合を図るものであり、明りょうでない記載の釈明に該当し、いずれも、新規事項の追加に該当せず、実質的に特許請求の範囲を拡張又は変更するものではない。
　
（３）むすび
　　したがって、上記訂正は、特許法第１２０条の４第３項において準用する平成６年法律第１１６号による改正前の特許法第１２６条第１項ただし書き、第２項及び第３項の規定に適合するので、当該訂正を認める。
　
３．特許異議の申立てについての判断
（１）本件発明
　　上記２．で示したように上記訂正が認められるから、本件の請求項１ないし３に係る発明は上記訂正に係る訂正明細書の特許請求の範囲の請求項１ないし３に記載された事項により特定されるとおりのものである。（上記２．（１）訂正事項ａ参照）
　　
（２）特許異議申立ての理由の概要
　特許異議申立人株式会社ディスクは、証拠として甲第１号証（実願平５−３５１８０号の願書に最初に添付した明細書又は図面（実開平７−１４２７号）、以下、先願明細書という。）を提出し、本件請求項１の発明は甲第１号証記載の考案と同一であり、特許法第２９条の２の規定に違反してなされ、さらに、甲第２号証（特開平６−２３０２２８号公報、以下、引用例１という。）、甲第３号証（特開平６−２８１９３４号公報、以下、引用例２という。）、甲第４号証（特開平６−２６５７３２号公報、以下、引用例３という。）及び甲第５号証（特開平５−１７３１３４号公報、以下、引用例４という。）を提出し、本件請求項１〜３の発明は、甲第２号証〜甲第５号証（引用例１〜４）に記載の事項から当業者が容易に発明できたものであり、特許法第２９条第２項の規定に違反してなされたものであるから、特許を取り消すべき旨主張している。
　又、特許異議申立人長谷川孝子は、甲第１号証（特開平５−２０３９５０号公報、以下、引用例５という。）、甲第２号証（特開昭５９−８２０１号公報、以下、引用例６という。）、甲第３号証（特開昭５９−８２０４号公報、以下、引用例７という。）、甲第４号証（特開平５−３４１１３２号公報、以下、引用例８という。）及び甲第５号証（特開平５−１７３１３４号公報；株式会社ディスクの甲第５号証と同じ）を提出し、本件請求項１〜３の発明は、甲第１号証〜甲第５号証（引用例４〜８）に記載の事項から当業者が容易に発明できたものであり、特許法第２９条第２項の規定に違反してなされ、さらに、甲第６号証として上記株式会社ディスクの甲第１号証（先願明細書）と同じ証拠を提出し、請求項１の発明は、特許法第２９条の２の規定に違反してなされたものであるから、特許を取り消すべき旨主張している。
　
（３）先願明細書及び引用例記載の事項
　先願明細書には、
「本考案は、液晶表示装置のバックライト等に用いる面光源装置に関するものである。」（【０００１】）
「本考案は、光量の損失が少なくしたがって画面全体を明るく照明出来、しかも画面に垂直な方向はもとより斜め方向より観察する場合も比較的明るい像の観察が可能である面光源装置を提供することにある。」（【０００９】）
「本考案の面光源装置は、拡散部材を備え光源からの光拡散光として出射させるもので、このを拡散部材の出射側つまり拡散部材と照明すべき液晶表示板のような表示面との間に断面角形の第１のプリズムシートとプリズム等の角部を曲面にした第２のプリズムシートを交叉させて配置して全体の明るさが大で、しかも斜め方向からも観察が可能にしたものである。」（【００１０】）
「図１は本考案の実施例の斜視図で、１は光源、２は導光体、３は拡散部材、４は反射部材で、これらは図２に示す面光源装置と同じである。この実施例の面光源装置は、更に図４に示す形状の第１のプリズムシート７と図５に示す第２のプリズムシート８とを図示するようにかさね配置したものである。」（【００１２】）
「これによって、拡散部材３を出た拡散光は、第１のプリズムシート７によって拡散板３に垂直な方向に向けられ更に第２のプリズムシート８によりわずかに屈折される。これによって、ほとんどの光が液晶表示板などの表示板に入射し明るい画像を観察出来、又斜めの方向での観察も可能になる。」（【００１３】）と記載され、図４には、一方の面に凹凸状を有し、該凹凸状を横切る断面形状が略二等辺三角形状のプリズム７ａを並び配置したプリズムシート７が、図５には、一方の面に凹凸状を有し、該凹凸状を横切る断面形状が連続した曲線による波型形状のプリズムシート８が、さらに、図１には、導光体２の側部に設けられた直線状光源１と、導光体２の前面に第１のプリズムシート７と第２のプリズムシート８を順次配置した面光源装置が図示されている。
　上記によれば、先願明細書には、
「液晶表示装置のバックライトとして使用され、導光体の側部に設けられた直線状光源と、導光体の前面に、一方の面に凹凸状を有し、該凹凸状を横切る断面形状が略二等辺三角形状のプリズムを並び配置した第１のプリズムシートと、一方の面に凹凸状を有し、該凹凸状を横切る断面形状が連続した曲線による波型形状の第２のプリズムシートとを順次配置した液晶表示装置の面光源装置」の考案が記載されている。
　
　引用例１には、
「透光性材料からなる導光板の一方の広い面に拡散エレメントを形成し、前記導光板の少なくとも一側面端部にこれに近接した線状光源を有するパネル用バックライトに於いて、導光板の出光面側に、微細な間隔で直線状頂稜を持つプリズム又は同凸状部が、前記頂稜がほぼ平行となる状態で同一面に多数有する透光性材料からなるシートを、前記直線状頂稜の延長線が、前記導光板の広い面の各辺と交差する状態に１枚以上配置したパネル用バックライト。」（特許請求の範囲の請求項１）、
「前記したシートの頂稜の頂角（図中８）は７０〜１５０度であることが好ましい。・・・９０〜１１０度であることが特に好ましい。」（【００２１】）、
「本発明で用いるシートの他の例として、頂稜の形状が円弧を持った凸状（図中１０）がある。・・・いわゆるカマボコ型、円型、楕円型、サイン波型などがある。」（【００２２】）、
「前記シートと導光板とは光学的に密着しないこと（例えば空気層を介していること）が好ましいので、前記シートの導光板と相対する面を若干粗面化した・・・。」（【００２６】）、
「前記凸部を有するシートを２枚用い、その直線状頂稜が互いに交差するように配置した以外は実施例と同一」（公報５頁右欄下から９行〜同８行）と記載されている。
　上記によれば、引用例１には、
「導光板の一方の広い面に拡散エレメントを形成し、前記導光板の少なくとも一側面端部にこれに近接した線状光源を有するパネル用バックライトに於いて、導光板の出光面側に、微細な間隔で直線状頂稜を持つプリズム又はサイン波型など凸状部を、前記頂稜がほぼ平行となる状態で同一面に多数有し、前記頂稜の頂角は７０〜１５０度、好ましくは９０〜１１０度である透光性材料からなるシートを、２枚用い、その直線状頂稜が互いに交差するように配置し、前記シートの導光板と相対する面を若干粗面化したパネル用バックライト。」の発明が記載されている。
　
　上記引用例１と同一の出願人による、引用例２には、「導光板の一方の広い面に拡散エレメントを形成し、前記導光板の少なくとも一側面端部にこれに近接した線状光源を有するパネル用バックライトに於いて、導光板の出光面側に、微細な間隔で直線状頂稜を持つプリズム又は波型など凸状部を、前記頂稜がほぼ平行となる状態で同一面に多数有し、前記頂稜の頂角は７０〜１５０度、好ましくは９０〜１１０度である透光性材料からなるシートを、２枚用い、その直線状頂稜が互いに交差するように配置し、前記シートの導光板と相対する面を若干粗面化したパネル用バックライト。」の発明が記載されている。
　
　引用例３には、導光板の全面にプリズムレンズシートを設けたエッジライト型の面光源装置に関し、
「本発明に使用できるプリズムレンズシート３は如何なるタイプの物であってもよい。例えば、図３に示すように、三角プリズム型レンチキュラーレンズ１３、円又は楕円柱型凸レンチキュラーレンズ１４、円又は楕円柱型凹レンチキュラーレンズ１５、角錐レンズ１６、蠅の目レンズ１７、等が利用できる。また図３の１８に示すようにプリズムレンズシート３は一枚を単層で使用することもできるが、平行または直角に二枚重ねて二層として使用することができる。また三層以上で使用することも可能である。更に、同種のプリズムレンズシートを組み合わせるだけでなく異種のプリズムレンズシートを組み合わせて使用することも可能である。」（【００１０】）と記載されている。
　
　引用例４には、ガラスビーズなどの拡散剤を添加した光拡散層と、その全面に設けられた集光層とからなる調光シートに関し、集光層の非積層面には、蛍光ランプと平行に横断面直角二等辺三角形の多数の凹凸形状が設けられ、該三角形の凸状の頂角は好ましくは５０〜１００°、さらに好ましくは７０〜９０°の範囲であることが記載されている。
　
　引用例５には、液晶表示装置のエッジライト方式の面状発光装置に関し、
「集光シートの多数のプリズム部は、同シートの出射光を画面に対する法線方向により多く集める作用を果たす。多数のプリズム部の各２つの斜面のなす角度は３０〜１５０°、好ましくは約６０〜１２０°の範囲である。」（【００１７】）、
「こうして構成される集光シートは、面状発光装置の素子として用いられる。すなわち、図１に示すように、上記構成の集光シート(8) と、集光シートの後方に設けられかつ背面に印刷ドットパターン(5) を有する導光板(6) と、導光板(6) の少なくとも１つの側面に設けられた光源(1) と、導光板(6) の後側に設けられた反射板(3) とを具備し、少なくとも１枚の集光シートのプリズム部の稜線が光源の軸線に対して傾斜するようになされている面状発光装置(7) が得れる。集光シート(8) と導光板(6) の間（図６参照）、または集光シート(8) の前側すなわち、最も出光側（図８参照）には、必要に応じて少なくとも１枚の光拡散シート(4) が適宜介在させられる。面状発光装置(7) の前側には液晶表示素子(2) が設けられている。」（【００２６】）、
「光拡散シート(4) は、導光板(6) の印刷ドットパターン(5) の形状が使用者に視認されないよう、光線を拡散するものであり、光拡散剤練込タイプまたはランダム凹凸加工タイプがある。・・・光拡散剤としては、従来公知のものが適用でき、たとえば酸化チタン、ガラス繊維、ガラスビーズ、シリカ・アルミナなどが例示される。」（【００３２】）と記載されている。
　
　引用例６には、車両用灯具において、２種類のプリズム素子を用い、所定の指向性を与えられて拡散され、もって所望の配向を得ることが記載されている。
　引用例７には、自動車等の灯具に光源からの光を屈折して射出し、拡散された配向をなすレンズを用いることが記載されている。
　引用例８には、エッジライト方式の面光源ユニットにおいて、導光板１１の表面に、その粗面２２を対向して配設された光制御板２１の上面に多数のプリズム単位２３ａを連接したものが図５とともに記載されている。
　
（４）請求項１に対する判断
　本件の訂正された請求項１に係る発明（以下、本件発明１という。）と先願明細書に記載の考案（以下、先願考案という。）とを対比する。
　先願考案の「導光体」、「プリズムシート」は、本件発明１の「導光板」、「調光シート」に相当し、液晶表示装置のバックライトとして使用される面光源装置は、液晶表示素子の背面に配置して使用されるものであるから、両者は、「液晶表示素子の背面に配置して使用され、導光板と、導光板の側傍に設けた直線状光源と、導光板の前面に設けた少なくとも２枚の第１と第２の調光シートを具備してなる、液晶表示装置用の面状光源装置であって、
　第１の調光シートがその少なくとも一方の面に凹凸条を有し、該凹凸条を横切る断面形状が３角形状をなし、第２の調光シートもその少なくとも一方の面に凹凸条を有し、該凹凸条を横切る断面形状が連続した曲線による波型形状をなし、導光板上に、第１の調光シートと第２の調光シートを順次配置してなる液晶表示装置用の面状光源装置。」で一致し、下記の点で一応相違する。
　相違点；本件発明１は、第１の調光シートの凹凸条を横切る断面形状が頂角７０度以上、１２０ 度以下の２等辺３角形状をなしているのに対し、先願考案のものは、断面略２等辺３三角形状であるが、頂角については具体的記載がない。
　上記相違点につき検討する。
　先ず、本件発明１における上記相違点１の構成の意義は、その特許明細書の【００１４】及び【００１５】に記載されている、第１調光シートの凹凸条の頂角が７０度を下回ると、法線方向の輝度を著しく低下させるとともに、視野角を狭めることにもなり、１２０°を上回ると、上記同様に法線方向の輝度を著しく低下させることとなる、というにある。
　これに対し、先願考案の課題は、前掲のとおり、「光量の損失が少なくしたがって画面全体を明るく照明出来、しかも画面に垂直な方向はもとより斜め方向より観察する場合も比較的明るい像の観察が可能である面光源装置を提供することにある。」のであり、本件発明１が、第１の調光シートの凹凸条を横切る断面形状が頂角７０度以上、１２０ 度以下の２等辺３角形状をなしているものを採用した理由と実質的に対応している。
  そうしてみると、指向性を向上するためにプリズムの断面三角形状の頂角等を規定する上記引用例１，２，４及び５等に示される、この出願前の技術水準に照らすと、先願考案の調光シートの凹凸条を横切る断面略二等辺３角形状のものを、頂角を７０度以上、１２０ 度以下の２等辺３角形状とすることはむしろ自然なことと認められる。
　したがって、本件発明１は、先願明細書に記載された考案と実質的に同一である。しかも、本件発明１の発明者が上記先願明細書に記載された考案の考案者と同一であるとも、この出願の時において、その出願人が他の出願の出願人と同一であるとも認められないので、請求項１に係る発明の特許は特許法第２９条の２の規定に違反してなされたものである。
　　
（５）請求項２及び３に対する判断
［請求項２に対して］
　本件の請求項２に係る発明（以下、本件発明２という。）と引用例１又は２に記載された発明を対比するに、両者は、「液晶表示素子の背面に配置して使用され、導光板と、導光板の側傍に設けた直線状光源と、導光板の前面に設けた少なくとも２枚の調光シートを具備してなる、液晶表示装置用の面状光源装置であって、調光シートはその少なくとも一方の面に凹凸条を有し、該凹凸条を横切る断面形状が頂角７０度以上、１２０ 度以下の２等辺３角形状をなし、或いは、その少なくとも一方の面に凹凸条を有し、該凹凸条を横切る断面形状が連続した曲線による波型形状をなすものを用い、前記調光シートのうち少なくとも１枚が、凹凸条を有する面と対向する面に艶消し処理されてなる液晶表示装置用の面状光源装置。」で一致し、下記の点で相違する。
　相違点；本件発明２は、導光板上に、異なる種類の第１の調光シートと第２の調光シートを順次配置してなるのに対し、引用例１又は２に記載された発明は、この構成を有しない。
　上記相違点につき検討するに、引用例３には、異種のプリズムレンズシートを組み合わせて使用することも可能であることまでは記載されているが、凹凸条を横切る断面形状が連続した波型形状をなすシートの記載はなく、しかも特定の順序で配列することについては記載も示唆もない。さらに、引用例４〜８には、上記相違点の構成を示唆するものは何も記載がない。
　そして、本件発明２は、上記相違点の構成を具備することによって、明細書記載の格別の効果を奏するものである。
　したがって、本件発明２は、引用例１〜８に記載された発明に基づいて当業者が容易に発明をすることができたものであるとすることはできない。
　
 ［請求項３に対して］
　請求項３に係る発明（以下、本件発明３という。）と引用例１又は２に記載された発明を対比するに、両者は、「液晶表示素子の背面に配置して使用され、導光板と、導光板の側傍に設けた直線状光源と、導光板の前面に設けた少なくとも２枚の調光シートを具備してなる、液晶表示装置用の面状光源装置であって、調光シートはその少なくとも一方の面に凹凸条を有し、該凹凸条を横切る断面形状が頂角７０度以上、１２０ 度以下の２等辺３角形状をなし、或いは、その少なくとも一方の面に凹凸条を有し、該凹凸条を横切る断面形状が連続した曲線による波型形状をなすものを用いてなる液晶表示装置用の面状光源装置。」で一致し、下記の点で相違する。
　相違点１；本件発明３は、導光板上に、異なる種類の第１の調光シートと第２の調光シートを順次配置してなるのに対し、引用例１又は２に記載された発明は、この構成を有しない。
  相違点２；本件発明３は、調光シートのうち少なくとも１枚が、その内部に光線を拡散する粒子を含有し、またはその凹凸条を有する面と対向する面に光線を拡散する粒子を含有する層を有してなるのに対し、引用例１又は２に記載された発明は、この構成を有しない。
　そこで、相違点につき検討するに、相違点２は、引用例４及び５に記載されているように公知の技術であり、これを引用例１又は２に記載された発明に適用することは当業者が容易になし得ることである。
　しかし、相違点１については、上記本件発明２についての相違点で検討したとおりである。
　したがって、本件発明３は、引用例１〜８に記載された発明に基づいて当業者が容易に発明をすることができたものであるとすることはできない。
４．むすび
　以上のとおり、請求項１に係る発明の特許は、特許法第２９条の２の規定に違反してなされたものであり、拒絶の査定をしなければならない特許出願に対してなされたものである。したがって、特許法の一部を改正する法律（平成６年法律第１１６号）附則第１４条の規定に基づく、特許法等の一部を改正する法律の施行に伴う経過措置を定める政令（平成７年政令第２０５号）第４条第２項の規定により取り消すべきものである。
　また、請求項２及び３に係る発明の特許については、取消の理由を発見しない。
　よって、結論のとおり決定する。
【異議決定日】
平成１３年１月２６日（２００１．１．２６）
【訂正の要旨】
　訂正の要旨
　▲１▼　特許明細書の特許請求の範囲を次のとおり訂正する。
　【特許請求の範囲】
　　【請求項１】　液晶表示素子の背面に配置され、
導光板と、導光板の側傍に設けた直線状光源と、導光板の前面に設けた少なくとも２枚の第１と第２の調光シートを具備してなる、液晶表示装置用の面状光源装置であって、
　第１の調光シートがその少なくとも一方の面に凹凸条を有し、該凹凸条を横切る断面形状が頂角７０度以上、１２０度以下の２等辺３角形状をなし、
　第２の調光シートもその少なくとも一方の面に凹凸条を有し、該凹凸条を横切る断面形状が連続した曲線による波型形状をなし
、
　
導光板上に、第１の調光シートと第２の調光シートを順次配置し
　　【請求項２】　前記調光シートのうち少なくとも１枚が、凹凸条を有する面と対向する面に艶消し処理されてなる請求項１記載の液晶表示装置用の面状光源装置。
　　【請求項３】　前記調光シートのうち少なくとも１枚が、その内部に光線を拡散する粒子を含有し、またはその凹凸条を有する面と対向する面に光線を拡散する粒子を含有する層を有してなる請求項１記載の液晶表示装置用の面状光源装置。
　▲２▼　特許明細書の段落【００１０】を次のとおり訂正する。
　　　【００１０】
　　【課題を解決するための手段】
　請求項１に記載の本発明は、液晶表示素子の背面に配置され、導光板と、導光板の側傍に設けた直線状光源と、導光板の前面に設けた少なくとも２枚の第１と第２の調光シートを具備してなる、液晶表示装置用の面状光源装置であって、第１の調光シートがその少なくとも一方の面に凹凸条を有し、該凹凸条を横切る断面形状が頂角７０度以上、１２０度以下の２等辺３角形状をなし、第２の調光シートもその少なくとも一方の面に凹凸条を有し、該凹凸条を横切る断面形状が連続した曲線による波型形状をなし
、導光板上に、第１の調光シートと第２の調光シートを順次配置し
　▲３▼　特許明細書の段落【００２４】を削除する。
　▲４▼　特許明細書の段落【００２５】を削除する。
　▲５▼　特許明細書の段落【００２６】を次のとおり訂正する。
　　　【００２６】
　　（実施例
２
　実施例１において第２の調光シートの裏面を艶消し処理したものを用意し、実施例１と同様の評価を行なった。
　▲６▼　特許明細書の段落【００２７】を次のとおり訂正する。
　　　【００２７】
　　（実施例
３
　実施例１において第２の調光シートの裏面に粒径７μｍのアクリルビーズ、バインダーにポリカーボネートを用いたものをコーティングし、全体の厚みが２３０μｍ、シート全体に対しアクリルビーズが３ｗｔ％混入されたものを用意し、実施例１と同様の評価を行なった。
　▲７▼　特許明細書の段落【００３１】を次のとおり訂正する。
　　　【００３１】
　以上の実施例１〜
３
　▲８▼　特許明細書の【表１】を次のとおり訂正する。
　【表１】
（５４）【発明の名称】
液晶表示装置用の面状光源装置
（５７）【特許請求の範囲】
　　【請求項１】　液晶表示素子の背面に配置して使用され、
　導光板と、導光板の側傍に設けた直線状光源と、導光板の前面に設けた少なくとも２枚の第１と第２の調光シートを具備してなる、液晶表示装置用の面状光源装置であって、
　第１の調光シートがその少なくとも一方の面に凹凸条を有し、該凹凸条を横切る断面形状が頂角７０度以上、１２０度以下の２等辺３角形状をなし、
　第２の調光シートもその少なくとも一方の面に凹凸条を有し、該凹凸条を横切る断面形状が連続した曲線による波型形状をなし
、
　
導光板上に、第１の調光シートと第２の調光シートを順次配置し
　　【請求項２】　前記調光シートのうち少なくとも１枚が、凹凸条を有する面と対向する面に艶消し処理されてなる請求項１記載の液晶表示装置用の面状光源装置。
　　【請求項３】　前記調光シートのうち少なくとも１枚が、その内部に光線を拡散する粒子を含有し、またはその凹凸条を有する面と対向する面に光線を拡散する粒子を含有する層を有してなる請求項１記載の液晶表示装置用の面状光源装置。
【発明の詳細な説明】
　　　【０００１】
　　【産業上の利用分野】
　本発明は液晶表示装置の画質を改善する、液晶表示装置用の面状光源装置に関する。
　　　【０００２】
　　【従来の技術】
　パーソナルコンピュータや小型ワードプロセッサ等の液晶表示装置を構成する液晶表示素子は、自家発光性を有しないので、視認性向上の要求を満たすため、その背面光源として面状光源装置を用いている。
　　　【０００３】
　面状光源装置は、開発当初には蛍光ランプ等の光源を液晶表示素子の背面に直接配置した構造（直下式）をとっていた。これに対し、近年では、液晶表示装置全体の厚みを薄くして構造の小型化を図るため、面状光源装置として導光板を用い、その少なくとも一端面に蛍光ランプを配置したエッジライト方式という構造をとることが多い。
　　　【０００４】
　図４はエッジライト方式の面状光源装置の基本構造を示す模式図である。図４において、１は液晶表示素子、２は面状光源装置である。面状光源装置２にあっては、直線状光源としての蛍光ランプ３を導光板４の側傍に設けている。導光板４の裏面にはドット印刷された塗料（光散乱性インキ）５が設けられ、導光板４の背面には反射板６が配置されている。
　　　【０００５】
　蛍光ランプ３から発せられた光線は、導光板４の端面から内部に侵入し、導光板４の裏面の塗料５によって乱反射され、導光板４の表面から放出される。塗料５は蛍光ランプ３から導光板４に入射した光を、導光板４の表面のどの位置からも均等に放出させるための光散乱性インキの印刷パターンであり、疑似光源とも言えるものである。しかし、このままでは、液晶表示装置として必要とされる輝度が十分でなく、また導光板４の裏面の塗料５の印刷パターンが液晶表示素子１の正面から視認されてしまう。
　　　【０００６】
　そこで、従来技術では、液晶表示装置の画面を観察する際に、液晶表示素子１を通して背面の疑似光源、即ち上述の塗料５の印刷パターンが視認されることなしに、均一発光できるように、導光板４の表面上に調光シート７、８を設けることとしている。この調光シート７、８としては、ポリエステル、ポリカーボネート、ポリメチルメタクリレート等の透明性の樹脂を用い、片面又は両面に任意の凹凸形状を施したシート（特開平２−１３９２５号公報）、又はプリズム形状を付与したシート（プリズムシート）（特開昭６２−１４４１０２号公報）、更にプリズムシートを２枚重ね合わせて用いるもの（特公平１−３７８０１号公報）が提案されている。
　　　【０００７】
　　【発明が解決しようとする課題】
　然しながら、従来技術には、以下の如くの問題点がある。
　凹凸形状又はプリズム形状を付与した調光シートを用いた場合には、面状光源装置の正面輝度は向上するものの、液晶表示装置（特にＳＴＮ型カラー液晶）のための実用に必要とされる正面輝度を得るには未だ不十分である。
　　　【０００８】
　プリズムシートを２枚重ね合わせて用いた場合には、法線方向への光線の放出は著しく増加するものの、その分布は非常に狭い範囲に限られ、観察者の位置がその範囲から僅かにでもずれるとほとんど光を出射していないため非常に暗い画面となってしまう。またその境界の両側で輝度が急峻に変化するため画面上に明域と暗域が視認されてしまい実用上好ましくない。従って、使用者は、位置関係を可能な限り変化させずに使用することを余儀なくされ、これが使用者の疲労の要因となるという問題がある。
　　　【０００９】
　本発明は、液晶表示装置用の面状光源装置において、実用上十分な輝度を確保するとともに、光の出射範囲が広く、明るく、見易く、疲労しない良好な画質感を有する液晶表示装置を実現することを目的とする。
　　　【００１０】
　　【課題を解決するための手段】
　請求項１に記載の本発明は、液晶表示素子の背面に配置して使用され、導光板と、導光板の側傍に設けた直線状光源と、導光板の前面に設けた少なくとも２枚の第１と第２の調光シートを具備してなる、液晶表示装置用の面状光源装置であって、第１の調光シートがその少なくとも一方の面に凹凸条を有し、該凹凸条を横切る断面形状が頂角７０度以上、１２０度以下の２等辺３角形状をなし、第２の調光シートもその少なくとも一方の面に凹凸条を有し、該凹凸条を横切る断面形状が連続した曲線による波型形状をなし
、導光板上に、第１の調光シートと第２の調光シートを順次配置し
　　　【００１１】
　請求項２に記載の本発明は、請求項１に記載の本発明において更に、前記調光シートのうち少なくとも１枚が、凹凸条を有する面と対向する面に艶消し処理されてなるようにしたものである。
　　　【００１２】
　請求項３に記載の本発明は、請求項１に記載の本発明において更に、前記調光シートのうち少なくとも１枚が、その内部に光線を拡散する粒子を含有し、またはその凹凸条を有する面と対向する面に光線を拡散する粒子を含有する層を有してなるようにしたものである。
　　　【００１３】
　　【作用】
　第１の調光シートにおけるように、直線部分よりなるプリズム形状が付与されたようなシートの場合、頂角の角度によって光学的に光線を放出する範囲が限定される。ところが第２の調光シートにおけるように、凹凸条を連続曲面としたシートは光を出射し得ない領域を持たない。然るに、このような第１と第２の２つの調光シートを順次配置するものとすれば、法線方向の輝度をほとんど低下させることなく、プリズム形状が付与されたシートのみを用いたときに見られる急峻な輝度の低下を防止できる。その結果大きなコントラスト変化が現れなくなるため、観察方向を正面から傾けていっても明域と暗域とが視認されることがなくなる。
　　　【００１４】
　尚、第１の調光シートの凹凸条の頂角が７０度を下回ると、法線方向の輝度を著しく低下させるとともに、視野角（法線方向の輝度の半分の値以上を取る角度範囲）を狭めることにもなる。
　　　【００１５】
　１２０度を上回ると、上記同様に法線方向の輝度を著しく低下させることとなる（ただし視野角は狭くならない）。よって、７０度以上１２０度以下の２等辺３角形状に限定される。
　　　【００１６】
　また、調光シートのうち少なくとも１枚について、凹凸条を有する面と対向する面に艶消し処理するものとすれば、拡散性を付与することができる。これにより、ドット見えの防止作用を一層よくすることができる。しかし、余りにも艶消し処理を多く施すと、調光シートの集光機能に影響を与えかねない。
　　　【００１７】
　また、調光シートのうち少なくとも１枚について、光線拡散粒子を含有するものとすれば、拡散性を付与し、ドット見え防止作用を一層拡大する。しかし、拡散剤を入れすぎると集光機能を損なう。拡散剤混入量は、好ましくは５ｗｔ％以下である。それ以上は集光機能を著しく低下させてしまう。尚、調光シートのうち少なくとも１枚が、その凹凸条を有する面と対向する面に光線を拡散する粒子を含有する層を有するものであっても良い。
　　　【００１８】
　　【実施例】
　液晶表示装置１０を構成する液晶表示素子１１の背面光源として、図１に示すような面状光源装置１２を構成した。
　　　【００１９】
　面状光源装置１２は、直線状光源としての蛍光ランプ１３を導光板１４の側傍に設けている。導光板１４の裏面にはドット印刷された塗料（光散乱性インキ）１５が設けられ、導光板１４の背面には反射板１６が配置され、導光板１４の前面には第１と第２の２枚の調光シート２１、２２が設けられた。
　　　【００２０】
　第１の調光シート２１は、図２に示す如くの凹凸条を有し、該凹凸条を横切る断面形状が頂角７０度以上、１２０度以下の２等辺３角形状をなすものとした。
　　　【００２１】
　第２の調光シート２２も、図３に示す如くの凹凸条を有し、該凹凸条を横切る断面形状が連続した曲線による波型形状をなすものとした。
　　　【００２２】
　以下、本発明の具体的実施結果を、比較例とともに説明する。
　（実施例１）
　面状光源装置１２は、太さ３．５ｍｍ、長さ１９６ｍｍの冷陰極管の蛍光ランプ１３を、背面にドットパターンの塗料１５を有する導光板１４の両側面に配置した。導光板１４は、横１９６ｍｍ、縦１３５ｍｍ、厚さ３．５ｍｍのポリメチルメタクリレート板からなる。導光板１４の背面には反射板１６が配置され、導光板１４の前面にはプリズム形状を付与した第１の調光シート２１を配置し、更にその前面に連続した曲面形状を付与した第２の調光シート２２を配置した。反射板１６は不透明ポリエチレンテレフタレートの不透明フィルムからなる。こうして構成されたエッジライト方式の面状光源装置１２を直流１２Ｖのインバーターで駆動し、第１と第２の調光シート２１、２２の評価に用いた。
　　　【００２３】
　また、第１と第２の調光シート２１、２２を以下の如く構成した。即ち、第１の調光シート２１として透明なポリカーボネート樹脂を用い、プレス成形法により、一面に頂角９０度、斜面の角度４５度、ピッチ３００μｍ、全体厚み５００μｍのプリズム形状を付与したシートを得た（図２）。第２の調光シート２２として透明なポリカーボネート樹脂を用い、プレス成形法により、一面に振幅１２２μｍ、ピッチ３５０μｍの正弦波状の表面構造を持ち、全体の厚みが２００μｍとなるシートを得た（図３）。
　　　【００２６】
　（実施例
２
　実施例１において第２の調光シートの裏面を艶消し処理したものを用意し、実施例１と同様の評価を行なった。
　　　【００２７】
　（実施例
３
　実施例１において第２の調光シートの裏面に粒径７μｍのアクリルビーズ、バインダーにポリカーボネートを用いたものをコーティングし、全体の厚みが２３０μｍ、シート全体に対しアクリルビーズが３ｗｔ％混入されたものを用意し、実施例１と同様の評価を行なった。
　　　【００２８】
　（比較例１）
　調光シートとして、厚さ２５０μｍのポリカーボネート樹脂を用い、押出成形法によって得られた成形体の一面に深さ１５０μｍで凹凸密度１２０本／インチの不規則な凹凸面を形成したものを用い、実施例１と同様の評価を行なった。
　　　【００２９】
　（比較例２）
　実施例１より第２の調光シート２２を除き、実施例１と同様の評価を行なった。
　　　【００３０】
　（比較例３）
　実施例１の第１の調光シート２１を２枚重ねて使用し、実施例１と同様の評価を行なった。
　　　【００３１】
　以上の実施例１〜
３
　（１）画面の明るさ
　画面上の定点（９ケ所）において、法線方向に３０ｃｍ離れた位置から視野角２度の輝度計で測定し、明るさのデータとした。測定データが２４００ｃｄ／ｍ２以上であれば実用上問題のない明るさである。
　　　【００３２】
　（２）出射光範囲
　画面上中央の点において、法線方向を０度とし５度おきに輝度を両方向８０度まで測定した。測定輝度が２４０ｃｄ／ｍ２以下になると明暗のコントラストが悪く、表示が不明瞭となる。従って測定輝度が２４０ｃｄ／ｍ２以上となる範囲を出射光範囲として評価した。
　　　【００３３】
　（３）明域と暗域の視認性
　シートを配した面状発光装置において明域と暗域が視認されるか否かを画質感として評価した。
　○：明域と暗域は視認されない。
　×：明域と暗域が視認され実用上支障をきたす。
　　　【００３４】
　表１の結果より、本発明の調光シート２１、２２を用いた面状光源装置１２を液晶表示装置１０に搭載すれば、実用上十分な輝度であるとともに、光の出射範囲が広く、明域と暗域が視認されることのない画質感の良い液晶表示装置１０を実現できることが認められる。
　【表１】
　　　【００３５】
　　　【発明の効果】
　以上のように本発明によれば、液晶表示装置用の面状光源装置において、実用上十分な輝度を確保するとともに、光の出射範囲が広く、明るく、見易く、疲労しない良好な画質感を有する液晶表示装置を実現することができる。
【図面の簡単な説明】
　　【図１】
　図１は本発明において実施例に係る液晶表示装置を示す模式図である。
　　【図２】
　図２は第１の調光シートを示す模式図である。
　　【図３】
　図３は第２の調光シートを示す模式図である。
　　【図４】
　図４は従来例を示す模式図である。
　　　【符号の説明】
　１０　液晶表示装置
　１１　液晶表示素子
　１２　面状光源装置
　１３　蛍光ランプ（光源）
　１４　導光板
　２１　第１の調光シート
　２２　第２の調光シート